(57)【特許請求の範囲】
【請求項１】
外郭用固定枠をなす外枠(A)と搭載用開閉枠をなす前枠(B)とを、左側縁の上下に配設された開閉連結手段(H1,H2)により開閉および着脱可能に組付け支持して、縦向き設置姿勢で遊技に供し得る縦型遊技機において、
前記下の開閉連結手段(H2)では、外枠(A)の左隅端前部の軸支部(10)に垂立固定された支軸(12)と、前枠(B)の左隅端前部の軸受部(13)に形成された軸孔(14)とが、互いに公差的な嵌挿寸法を以って上下方向に着脱可能で左右方向に回動可能な条件で嵌挿連結され、
前記上の開閉連結手段(H1)では、外枠(A)の左上隅角部に固定されて左端前部に支軸(25)を下向きに固定した支持具(20)と、前枠(B)の左上端部に固定されて左端前部の軸受部(30)に側面を開口して支軸(25)を横向きに嵌合・離脱し得る軸孔(31)を形成した受け具(27)と、この受け具(27)の水平上面で前記支軸(25)を案内し得る位置に旋回動可能に支持されて適宜付勢手段(47)により軸孔(31)の開口側面を常に閉鎖する位置と開放する位置とに往復変位可能とされたロック部材(40)とを備える一方、受け具(27)の水平上面外側とロック部材(40)の左外側縁に形成した案内面(44)との間に、前枠(B)の左上隅端の厚み方向に常に開口する軸受出し口(48)を形成すると共に、受け具(27)側とロック部材(40)側との間にロック部材(40)を指先操作してロック解除位置に係脱可能に係止保持できる係止手段(33,50,63,64,67,69)を配設し、
前記下の開閉連結手段(H2)における支軸(12)と軸孔(14)とを嵌挿連結したもとで、上の開閉連結手段(H1)における支持具(20)の支軸(25)を受け具(27)の軸受出し口(48)に広角的な方向から相対的に受入れて、閉鎖位置のロック部材(40)を開放位置に変位させつつ軸孔(31)の開口側面から嵌合連結して、閉鎖位置に復帰されたロック部材(40)で軸孔(31)内の支軸(25)を抜け止め保持し得る一方、前記ロック部材(40)を係止手段(33,50,63,64,67,69)によりロック解除位置に保持したもとで、前記支軸(25)を軸孔(31)の開口側面から相対的に離脱させつつ軸受出し口(48)に引出して両枠(A,B)を分離し得るようにした
ことを特徴とする縦型遊技機。
【発明の詳細な説明】
【０００１】
【発明の属する技術分野】
この発明は、外郭用固定枠ともされる外枠と、搭載用開閉枠ともされる前枠とを合わせて機体とし、縦向きの設置姿勢で遊技に供される縦型遊技機に関するものである。
【０００２】
【従来の技術】
パチンコ機やアレンジボール機に代表されるこの種の縦型遊技機では、縦長方形の外枠の開口前面側に、各種の必要な遊技構成部材を搭載して遊技盤を収容セットした前枠が、両枠側縁の上,下部に配設された開閉連結手段を利用して開閉(横開き)および着脱可能に組付けられて１台単位で構成される。そして製造工場内等に保管されたり出荷(運送)される場合には、前述した機体単位で縦向きまたは横向きの姿勢で取扱われ、一方遊技店内の設置枠台(通称「島」)に設置される場合には、前枠側と一旦組外された外枠が所定の縦向き傾斜姿勢で固定保持されたもとで、前枠全体を組み付けセットして遊技に供される。ちなみに機体の組付けについては、工場内の最終組立て工程部で１台分ずつ行なわれるが、遊技機の取扱いや実施過程においては、点検,設置傾き調整等の必要に応じて、外枠と前枠とが組外し(分離)されて再び組付けられることがある。
【０００３】
前述した縦型遊技機にあって、機体を構成する外枠と前枠との組付けに係る上下の開閉連結手段については、最も一般化されている形式として軸,孔を含む嵌挿連結タイプが多用されており、図１７に示すように、上の支持手段では外枠Ａおよび前枠Ｂの各左上隅角部に固定された受け金具８０と支持金具８２とが組とされ、また下の支持手段では外枠Ａおよび前枠Ｂの各左下隅部に固定された受け金具８５と支持金具８７とが組とされている。そして機体の組付けに際しては、外枠Ａを起立不動状態に保持したもとで前枠Ｂを外枠Ａの上方に位置合わせして、まず上の支持金具８２の軸孔８３に受け金具８０の支軸８１を一旦仮嵌めし、そして下の支持金具８７の軸孔８８に受け金具８５の支軸８６を合わせたもとで、前枠Ｂ全体を下げ降ろして上下各組の支軸８１,８６および軸孔８３,８８を一度に嵌め合わせて、各組の金具８０,８２、８５,８７同士を連結支持するようになっている。しかしこのような機体の組付け作業を人為的に行なえば、案外煩雑を伴って時間が掛かると共に、前枠全体がかなり重いことから相当な重労働となり、また外枠Ａの変動や倒れ等を招いて手間が掛かる。
【０００４】
【発明が解決しようとする課題】
そこで、近年の遊技機に対する機体の人為的な組付けの簡易化を図る技術の一例として、特開平９−４７５５５号公報に開示される「パチンコ機の蝶着装置」が提案されており、従来の「軸・孔嵌挿連結タイプ」と対比して部品点数が多く高価なものになるとしても、機体の簡易組付け効果が優先されて実施されつつある。しかしこの「蝶着装置」では、構成上の一つとして外枠に固定された上部蝶着部において、前縁部下方に折曲形成された略半円筒状の垂下片の右側(公報の図７中右側)に軸係入口が開口されているため、前枠に固定された上部蝶着部における支軸の出入れ方向および垂下片内の軸受補助部材の軸承部に対する支軸の嵌合,離脱方向が一義的に定められてしまう。また構成上の今一つとして、上部蝶着部の下側に取着されて軸係入口の後側に位置するレバー状のロック部材が、外枠の前後の向きに旋回動可能に支持されて、常に閉鎖(ロック)状態に付勢されてはいるが、ロック部材自体をロック解除位置に係止保持することができない。
【０００５】
このため前述した「蝶着装置」による機体の組付けにおいては、外枠を起立不動姿勢に保持して両枠の下部蝶着部の軸,孔同士を嵌挿連結したもとで、上部蝶着部における支軸を軸係入口の開口面側(公報の図７中の右側)に位置合わせして軸承部に係合させるためには、外枠に対して前枠が常に右片寄り位置,姿勢に制約されることになり、この制約のために組付け作業者においては、「右利き、左利き、体格(身長)等」の差により作業上返って面倒になっていることがある。また機体の組外しにおいては、一方の手でロック部材を前方へロック解除操作して、同部材の閉塞壁部が軸受補助部材の軸承部の開口側面を開放したもとで、他方の手で相当な重量物とされた前枠全体を支えながら右方へ片寄り移動させて軸承部と支軸とを離脱させなければならず、かなりの重労働,負担が強いられる。しかも、ロック部材がロック解除に際して前方へ突出する向きに旋回動されるために、外枠に対する前枠の組外し方向(軸承部に対する支軸の離脱方向)と合致されてしまう。このためロック部材を操作保持する手指が、前枠の上隅部と干渉する危険があった。
【０００６】
【発明の目的】
本発明は、前述した課題を解決するために新たに提案されたものであって、機体の組付けにあたっては、外枠に対して前枠を左右の広範囲に亘る任意の方向,姿勢において、両手で前枠側全体を支えながら外枠側の支軸と前枠側の軸孔とを互いに横嵌め連結してロック保持し、機体の組外しにあたっては、先にロック解除保持したもとで両手で前枠側全体を支えながら所要方向へ分離できるようにして、作業者の「右利き、左利き、体格(身長)」等の差に拘らず手早く安全にかつ楽に機体を着脱できるようにした縦型遊技機を提供することを目的とする。
【０００７】
【課題を解決するための手段】
前述した課題を解決し、所期の目的を達成するため、本発明に係る縦型遊技機は、
外郭用固定枠をなす外枠と搭載用開閉枠をなす前枠とを、左側縁の上下に配設された開閉連結手段により開閉および着脱可能に組付け支持して、縦向き設置姿勢で遊技に供し得る縦型遊技機において、
前記下の開閉連結手段では、外枠の左隅端前部の軸支部に垂立固定された支軸と、前枠の左隅端前部の軸受部に形成された軸孔とが、互いに公差的な嵌挿寸法を以って上下方向に着脱可能で左右方向に回動可能な条件で嵌挿連結され、
前記上の開閉連結手段では、外枠の左上隅角部に固定されて左端前部に支軸を下向きに固定した支持具と、前枠の左上端部に固定されて左端前部の軸受部に側面を開口して支軸を横向きに嵌合・離脱し得る軸孔を形成した受け具と、この受け具の水平上面で前記支軸を案内し得る位置に旋回動可能に支持されて適宜付勢手段により軸孔の開口側面を常に閉鎖する位置と開放する位置とに往復変位可能とされたロック部材とを備える一方、受け具の水平上面外側とロック部材の左外側縁に形成した案内面との間に、前枠の左上隅端の厚み方向に常に開口する軸受出し口を形成すると共に、受け具側とロック部材側との間にロック部材を指先操作してロック解除位置に係脱可能に係止保持できる係止手段を配設し、
前記下の開閉連結手段における支軸と軸孔とを嵌挿連結したもとで、上の開閉連結手段における支持具の支軸を受け具の軸受出し口に広角的な方向から相対的に受入れて、閉鎖位置のロック部材を開放位置に変位させつつ軸孔の開口側面から嵌合連結して、閉鎖位置に復帰されたロック部材で軸孔内の支軸を抜け止め保持し得る一方、前記ロック部材を係止手段によりロック解除位置に保持したもとで、前記支軸を軸孔の開口側面から相対的に離脱させつつ軸受出し口に引出して両枠を分離し得るようにしたことを特徴とする。
【０００８】
【作用】
外枠に対する前枠の組付けに際しては、先ず下の開閉連結手段における外枠側に固定した支軸と前枠側に形成した軸孔とを上下方向に嵌挿連結し、このもとで上の開閉連結手段における外枠側に固定した支軸と前枠側に形成した軸孔とを横方向から嵌合連結する。このとき上の開閉連結手段に関しては、前枠上部を外枠側へ移動させて前記支軸を軸受出し口へ受入れさせると、ロック部材が閉鎖位置から開放位置へ変位して開口側面を開放するので該支軸を横方向から軸孔へ嵌合させることができ、嵌合後はロック部材が付勢手段の付勢下に閉鎖位置へ復帰して支軸がロック拘束状態に保持される。このとき、前記軸受出し口は前枠の厚み方向に常に開口しているので前記支軸を広角範囲から受入れることができ、外枠に対して前枠を左右の広範囲に亘る任意の方向・姿勢において組付け連結することができる。また、外枠に対する前枠の組外しに際しては、先ず上の開閉連結手段における支軸と軸孔との嵌合連結を解除し、次いで下の開閉連結手段における支軸と軸孔との嵌挿連結を解除する。このとき上の開閉連結手段に関しては、ロック部材を係止手段を利用してロック解除位置に保持して開口側面を開放させたもとで、前枠上部の移動下に前記支軸を該開口側面を介して軸受出し口へ引出すことにより、該支軸と軸孔とが横方向へ分離される。
【０００９】
【発明の実施の形態】
次に、本発明に係る縦型遊技機について、好適な実施例を挙げて添付図面を参照しながら、以下詳細に説明する。なお本実施例では、縦型遊技機として、遊技店内の設置枠台(島)に所定の縦向き後傾姿勢に固定保持されて遊技に供されるパチンコ機を主に示す。
【００１０】
本実施例のパチンコ機においては、全体を図１に略示するように、外郭保持枠をなす外枠Ａと、ガラス扉Ｃ、上下の球皿Ｄ,Ｅ、打球発射装置Ｆ等を装備し内部に遊技盤Ｇを収容セットする開閉搭載枠をなす前枠Ｂとを以って１台毎の機体とされ、双方の枠Ａ,Ｂが後述する左側上下の開閉連結手段Ｈ1,Ｈ2により着脱および開閉可能に組付け支持されると共に、右側の施錠手段(図示しない)により閉鎖状態に保持される。このようなパチンコ機にあって外枠Ａは、図２(ａ)に示すように、上下および左右の４本の枠部材１,２,３,４を枠組み連結して縦長方形に構成されて、全ての枠部材に亘る開口前面域に前枠Ｂを整合し得るようになっている。なお一例として外枠Ａは、木材成形された上,左の枠部材１,３を共通用として、樹脂材成形された右,下の枠部材４,２を２通りのサイズのものに置換連結することにより、一般に「関東枠、関西枠」と呼称区分されているタイプのものに変更し得るようになっている。
【００１１】
一方前枠Ｂは、図２(ｂ)に示すように、全体が合成樹脂成形された例において、外枠Ａの開口前面域に整合するサイズに成形されて窓枠口６を開口した枠体５の裏側に、遊技盤Ｇ用のセット口８を開口して遊技補助盤９を成形した収容枠７が一体成形されて前後二重枠形態とされている。なお、前枠Ｂは一定の枠サイズとされて、前述した両タイプの外枠Ａに共通の開閉連結手段Ｈ1,Ｈ2で組付け得るようになっている。そして樹脂成形であることにおいて、図３および図４に示すように枠体５の左上隅端部の前面に、後述する上の開閉連結手段Ｈ1における受け具２７側を覆蓋するための受け台部５２が一体成形された例を示す。ちなみに前枠Ｂは、枠体５で構成されるタイプのものとして、窓枠口６の裏側に別成形された収容枠７を整合固定したものであってもよい。
【００１２】
前述した外枠Ａと前枠Ｂとの機体に係る前記開閉連結手段については、下の開閉連結手段Ｈ2が軸・孔の上下嵌挿連結タイプであり、上の開閉連結手段Ｈ1が軸・孔の側方嵌合ロックタイプであって、双方の開閉連結手段Ｈ1,Ｈ2の連結支点が同一垂直線上に整合されている。そこで具体的な構成として、まず下の開閉連結手段Ｈ2では、図３に示すように、外枠Ａの下枠部材２の左上端部前面に一体に突出成形された軸支部１０と、前枠Ｂの枠体５の左下隅角部前面に一体に突出成形された軸受部１３とが主体とされて、軸支部１０の軸支孔１１に垂立固定された支軸１２の軸部１２ａに対して、軸受部１３の軸孔１４に嵌合された軸受スリーブ１５が、上下方向に着脱可能に嵌挿される。なお支軸１２は、その軸長中央部に形成したフランジ１２ｂを下枠部材２の上端面に水平整一した状態で固定されて、フランジ１２ｂ上面から軸部１２ａを垂立している。また軸受スリーブ１５は、適度に弾性変形可能とされた例えばナイロン系樹脂材で成形されており、支軸１２の軸部１２ａが嵌挿する筒部１５ａ下端に、枠体５の下端面に突出位置してフランジ１２ｂ上面と密接する支持座１５ｂが形成されている。
【００１３】
このように構成された下の開閉連結手段Ｈ2では、軸支部１０,軸受部１３および支軸１２を含む強固な構造を以って、相当な重量物とされる前枠Ｂ全体の荷重を集中的に受けても充分耐久し得る連結強度が維持される。そして、軸支部１０に対して支軸１２が強固に圧嵌されているもとで、軸受部１３の軸孔１４,軸受スリーブ１５,支軸１２の軸部１２ａの互いの嵌め合い公差的な嵌挿条件により、支軸１２と軸受スリーブ１５との嵌挿連結状態においては、前枠Ｂが垂立位置の外枠Ａを基準に観て、左寄り,手前寄りおよび右寄りの広範囲内での起立姿勢に適宜傾き(１０度以上)が許容されている。なお前記軸受スリーブ１５の支持座１５ｂは、外枠Ａに対する前枠Ｂの組付け位置の基準座ともされて、両枠Ａ,Ｂの受け座１７および当て座１８(図２参照)の上下重合分と同等な厚みに設定されている。但し軸受スリーブ１５が省略されるタイプの場合には、軸支部１０の支軸１２と軸受部１３の軸孔１４とが適正な公差条件で嵌挿連結し得るように設定され、支軸１２の軸部１２ａに適当な支持座が嵌合される。
【００１４】
これに対して前記上の開閉連結手段Ｈ1では、軸・孔を左右の広角的な方向,位置から横嵌め連結して自動ロックし得る形式として、基本的には図４,図７および図８等に示すように、外枠Ａの左上隅角部に固定されて水平前部に支軸２５を垂下した支持具２０と、前枠Ｂの枠体５の左上端部に固定されて前部に鈎状の軸孔３１を形成した受け具２７と、この受け具２７の水平上面に回動可能に支持されて軸孔３１の開口側面の閉鎖位置と開放位置とに変位保持可能とされたロック部材４０とを備えている。そして、受け具２７の水平上面端とロック部材４０の外側端(図４中では左側端)との間に、枠体５の左上端の厚み方向に常に開口する軸受出し口４８を形成すると共に、ロック部材４０を指先操作してロック解除位置(軸孔３１を開放し支軸２５を拘束しない位置をいう)に係止保持できるように構成されている。なお支持具２０および受け具２７は金属材で、またロック部材４０は硬質樹脂材で夫々成形されたものを例とし、夫々の所定部位に孔,ねじ孔等が形成されている。ちなみに受け具２７とロック部材４０とは、互いに組付けられた１つの部材(部品)として取扱われて使用し得る。
【００１５】
このような上の開閉連結手段Ｈ1の具体的な構成において、支持具２０は水平片部２１と垂下片部２２とを含むＬ形状に成形されて、外枠Ａの上,左枠部材１,３に当ててカンメピンやビス等で固定されており、そして水平片部２１の左端前縁から前向き水平に延出形成された半円庇状の支片部２３の中心部に支軸２５が下向き垂直に固定され、また支片部２３左外縁から垂下片部２２前縁に亘り案内保護片２４が下向きに折曲形成されて、支片部２３の強化や前記受け具２７の組付け案内およびロック部材４０の保護を図るようになっている(図５および図６参照)。それに対する受け具２７は、水平片部２８および垂下片部２９を含むＬ形状に成形されて、前枠Ｂの枠体５左端に合わせた位置で上端面と裏面に当てて固定されており、そして水平片部２８の左端前縁から鈎形庇状の軸受部３０が段差Ｒを以って前向き水平に屈曲延出形成されて、同軸受部３０の中心部に上下面および側面(後面)を開口した前記軸孔３１が形成され、また水平片部２８の所定位置に支ピン３２および案内ピン(係止手段)３３が垂立固定されている。なお受け具２７は、その垂下片部２９と前枠Ｂの枠体５そして枠体５前面に当接される座盤３４との間に挿通されたボルト３５およびナット３６で固定された例を示す。
【００１６】
一方ロック部材４０は、前述した受け具２７の水平片部２８上で旋回動し得るハンドルレバー形式の例において、平面略Ｐの字形状に成形されて指先操作し得るレバー体４１が、基端部４２を前記支ピン３２に嵌挿支持すると共に回動支点(支ピン３２)から所定の半径位置に形成された円弧状の案内孔４３に前記案内ピン３３を嵌挿した状態で組付けられており、付勢手段としての図示ねじりばね４７により常にはロック拘束(閉鎖)位置側に付勢されたもとで、支軸２５との当接力および指先操作力によりロック解除(開放)位置側へ変位し得るようになっている。そして、受け具２７の水平片部２８の左端とレバー体４１の左外側縁との間に前記軸受出し口４８が常に広く開口されて、支軸２５を広角範囲から受け入れ得るようにした条件のもとで(図１２参照)、レバー体４１の左外側縁に支軸２５を当接案内し得る円弧状の案内面４４が形成され、また回動支点(支ピン３２)から離れた前端縁に前記軸孔３１の開口側面を開閉し得る開閉縁４５が円弧状に形成されている。なおレバー体４１の一部に摘み４６が形成され、また案内面４４と開閉縁４５との交差隅部が、軸孔３１の開口側面の一方の段差縁３７に係止し得るようになっており、レバー体４１のロック拘束位置では、案内孔４３の後端部が案内ピン３３に係止されると共に該交差隅部が段差縁３７に係止される(図４参照)。
【００１７】
そしてこのようなロック部材４０において、レバー体４１をロック解除位置に係止保持する技術では、前記案内ピン３３と案内孔４３を利用する例として図９に示すように、案内孔４３の一側縁(図示外側縁)の所定位置に、スリット４９を利用して内外方向へ弾性的に出没変位して案内ピン３３と係脱可能に係合し得る係止爪片(係止手段)５０が形成されている。すなわち、レバー体４１を少し強目に操作する程度においてロック解除位置に変位した際に、案内孔４３内を相対移行する案内ピン３３が係止爪片５０の没入,突出変形を利用して同爪片５０の外側に係止され(図９(ｃ)参照)、また解放(戻し)操作することにより、案内ピン３３が係止爪片５０の出没変形を利用して離脱した後、案内孔４３の内端側に移行するようになっている(図９(ａ)参照)。なお、機体の組付けにおける支軸２５と軸孔３１との係合においては、レバー体４１が通常の閉鎖位置から開放位置に変化することにより、案内面４４が右傾変位しながら軸孔３１の開口側面の右側縁に整合され、また案内孔４３内の案内ピン３３が係止爪片５０の内側に係止する位置まで相対移行するように設定されている(図９(ｂ)参照)。
【００１８】
このように構成された上の開閉連結手段Ｈ1では、外枠Ａ側の支軸２５と前枠Ｂ側の軸孔３１との横嵌め係合を以って、前枠Ｂ全体の荷重を受けても充分耐久し得る連結強度が維持される。そして、前枠Ｂ側に固定された受け具２７における軸受出し口４８を枠体５の左上隅端部の厚み方向に開口していることにより、支軸２５を基準に観て軸受出し口４８を左,前および右の各方向に亘る広角範囲内の何れの位置からでも合わせることができ、この条件によって外枠Ａに対して前枠Ｂが、広範囲内の任意の向きで組付け,組外すことが可能となる。また外枠Ａに対して前枠Ｂを適宜横開きしたもとで、受け具２７におけるロック部材４０を予めロック解除位置に保持して、前枠Ｂ全体を両手で把持して安全に組外すことができる。なお、受け具２７の軸受部３０および水平片部２８は、前枠Ｂの受け台部５２に覆われて遊技機の正面から目視できないように美観保護されている。
【００１９】
【実施例の作用】
前述した本実施例のパチンコ機は、製造工程等において前枠Ｂの各部に前述した各種の遊技用構成部材や関連付属部品が組付けられると共に遊技盤Ｇが収容セットされ、最終的にこの前枠Ｂ全体が外枠Ａに組付け支持されて構成される。そして、１台毎に取扱われて保管または出荷(運送)される一方、遊技店内等の設置枠台に設置されて遊技に供される。
【００２０】
(外枠Ａに対する前枠Ｂの組付け)
そこで先ず、機体をなす外枠Ａおよび前枠Ｂの組付け態様について説明する。本実施例のパチンコ機における上下の開閉連結手段Ｈ1,Ｈ2は、前述したように、下の開閉連結手段Ｈ2が軸・孔の上下嵌挿連結タイプであり、また上の開閉連結手段Ｈ1が軸・孔の側方嵌合ロックタイプとして構成されていることから、外枠Ａに対する前枠Ｂの組付けに際しては、先ず下の開閉連結手段Ｈ2の連結作業を行ない、次いで上の開閉連結手段Ｈ1の連結作業を行なう。すなわち、下の開閉連結手段Ｈ2の連結作業では、床面上または設置枠台等に縦向きに保持された外枠Ａに対して前枠Ｂを適宜高い位置に保持したもとで、外枠Ａの軸支部１０に対して前枠Ｂの軸受部１３を上方に位置合わせし、軸孔１４に嵌挿した軸受スリーブ１５に支軸１２の軸部１２ａを嵌挿することにより、軸受スリーブ１５を支軸１２のフランジ１２ｂ上面に載置した基準支持状態で軸支部１０および軸受部１３が連結される(図３参照)。なお、前記支軸１２,軸受スリーブ１５および軸孔１４は、前述したように、嵌め合い公差的な嵌挿条件により嵌挿連結されるので、前枠Ｂを適宜傾斜姿勢に保持していても両者１２,１４が至極簡単に嵌挿される(図５参照)。
【００２１】
そして下の開閉連結手段Ｈ2の連結が完了したら、次いで上の開閉連結手段Ｈ1における軸孔３１に支軸２５を嵌合させる。例えば図１０に示すように、外枠Ａに対する前枠Ｂの開放角度を略９０度に保持した状態において、該前枠Ｂを下の開閉連結手段Ｈ2を中心として起立変位させ、受け具２７とロック部材４０により形成された軸受出し口４８に対し、外枠Ａに固定した支持具２０の支軸２５を相対的に位置合わせする(図１０(ａ)参照)。そして前枠Ｂの上部を外枠Ａ側へ押し込むと、前記支軸２５の側面が、ロック拘束位置に付勢されているロック部材４０におけるレバー体４１の案内面４４に当接し、該レバー体４１はねじりばね４７の付勢弾力に抗して支ピン３２を中心としてロック解除位置方向(図１０における反時計方向)へ旋回動されるから、軸孔３１の開口側面を開放するようになる(図１０(ｂ)参照)。このとき支軸２５は、外枠Ａに対する前枠Ｂの近接移動のもとに案内面４４に沿って案内され、軸孔３１の開口側面方向へ相対的に移動する。そして、前枠Ｂの姿勢変位のもとに支軸２５が軸孔３１内に完全に嵌合すると、該支軸２５と案内面４４との当接が解除されるようになるから、レバー体４１はねじりばね４７の弾力下に図１０における時計方向へ回動して元のロック拘束位置に復帰し、軸孔３１の開口側面は該レバー体４１の開閉縁４５により閉鎖されて支持具２０および受け具２７が連結される(図１０(ｃ)参照)。
【００２２】
このように、上下の開閉連結手段Ｈ1,Ｈ2の連結が完了した本実施例のパチンコ機では、下の開閉連結手段Ｈ2については、軸支部１０の支軸１２と軸受部１３の軸孔１４の嵌挿連結を含む強固な構造に以って前枠Ｂ全体の荷重を好適に受けつつ連結強度が維持されると共に、上の開閉連結手段Ｈ1については、受け具２７の軸孔３１およびロック部材４０の開閉縁４５により支持具２０の支軸２５を好適に嵌合保持し得る構造により、前枠Ｂを外枠Ａに好適に組付け保持することができる。また上の開閉連結手段Ｈ1においては、例えば前枠Ｂの開閉操作中において、軸孔３１に嵌合している支軸２５がロック拘束位置に付勢保持されているレバー体４１の開閉縁４５を押圧したとしても、レバー体４１がロック解除方向に回動することはないから、このような前枠Ｂの開閉操作時に支軸２５が軸孔３１から抜け出ることはない。なお、外枠Ａに前枠Ｂを閉鎖セットした状態においては、図３および図４に示すように、ロック部材４０のレバー体４１における摘み４６が、外枠Ａの上枠部材１の前端面に当接していることから、この状態でのレバー体４１の旋回動も全く不可能となり、パチンコ機の運送中や遊技中に該前枠Ｂが不用意に外れることもない。
【００２３】
なお、前述した上の開閉連結手段Ｈ1の連結例では、外枠Ａに対して前枠Ｂを約９０度の開放角度に保持した状態での両枠Ａ,Ｂの組付け態様を示したが、本実施例のパチンコ機では、前述したように、軸受出し口４８が広く開口されて支軸２５を広角範囲から受入れ得るようになっているから、図１２に示すように、外枠Ａに対する前枠Ｂの開放角度が、閉鎖状態に対して約３０〜１５０度の範囲内となっていれば、両枠Ａ,Ｂを好適に連結することができる。すなわち機体の組付けにあたっては、外枠Ａに対して前枠Ｂを左右の広範囲に亘る任意の方向,姿勢において、両手で前枠Ｂ側全体を支えながら外枠Ａ側の支軸２５と前枠Ｂ側の軸孔３１とを互いに横嵌め連結してロック保持させることができ、作業者の「右利き,左利き,体格(身長)」等の個体差に拘らず手早く安全にかつ楽に組付け作業を行なうことができる。
【００２４】
(外枠Ａに対する前枠Ｂの組外し)
次に、機体をなす外枠Ａおよび前枠Ｂの組外し態様について説明する。本実施例のパチンコ機における上下の開閉連結手段Ｈ1,Ｈ2は、前述したように、下の開閉連結手段Ｈ2が軸・孔の上下嵌挿連結タイプであり、また上の開閉連結手段Ｈ1が軸・孔の側方嵌合ロックタイプとして構成されていることから、外枠Ａに対する前枠Ｂの組外しに際しては、先ず上の開閉連結手段Ｈ1の分離作業を行ない、次いで下の開閉連結手段Ｈ2の分離作業を行なう。すなわち、例えば図１１に示すように、外枠Ａに対して前枠Ｂを略９０度に開放した状態に保持し、先ず上の開閉連結手段Ｈ1においてロック拘束位置にあるロック部材４０のレバー体４１を旋回動させて、前記案内ピン３３を係止爪片５０の外側に係止することで、該レバー体４１をロック解除位置に係止保持させる。これにより、レバー体４１の開閉縁４５が軸孔３１の開口側面から離間し、該開口側面が開放した状態となる(図１１(ａ)参照)。そして、前枠Ｂの上部を外枠Ａに対して左側へ移動(傾動)させることにより、支軸２５が開口側面を介して軸孔３１内から軸受出し口４８ヘ抜け出るようになり、該支軸２５と軸孔３１との嵌合が解除される(図１１(ｂ)参照)。更に、前枠Ｂの上部を外枠Ａに対して手前側へ移動させることにより上の開閉連結手段Ｈ1が完全に分離され、またロック部材４０のレバー体４１を時計方向へ回動して係止爪片５０による案内ピン３３の係止を解除させれば、ねじりばね４７の付勢弾力のもとに該レバー体４１が元のロック拘束位置へ復帰する(図１１(ｃ)参照)。次いで、外枠Ａに対して適宜傾斜した姿勢状態となっている前枠Ｂを上方へ移動させることにより、下の開閉連結手段Ｈ2においては軸孔１４から支軸１２が抜け出て、外枠Ａから前枠Ｂが完全に組外される。
【００２５】
なお、前述した上の開閉連結手段Ｈ1の分離例では、外枠Ａに対して前枠Ｂを約９０度の開放角度に保持した状態での両枠Ａ,Ｂの組外し態様を示したが、本実施例のパチンコ機では、前述したように軸受出し口４８が広く開口されているから、外枠Ａに対する前枠Ｂの開放角度が、閉鎖状態に対して約３０〜１５０度の範囲内となっていれば、両枠Ａ,Ｂを好適に組外すことができる(図１２参照)。すなわち機体の組外しにあたっては、外枠Ａに対して前枠Ｂを左右の広範囲に亘る任意の方向,姿勢において、両手で前枠Ｂ側全体を支えながら外枠Ａ側の支軸２５と前枠Ｂ側の軸孔３１とを互いに分離させることができ、作業者の「右利き,左利き,体格(身長)」等の個体差に拘らず手早く安全にかつ楽に組外し作業を行なうことができる。しかもロック部材４０は、レバー体４１を前枠Ｂの後方(裏面側)へ突出する向きに旋回動させることでロック解除状態となることから、該レバー体４１を操作保持する手指と前枠Ｂの上隅部が干渉する危険が全く無いうえに、レバー体４１をロック解除位置で係止保持し得るから、該レバー体４１を操作保持せずに両手で前枠Ｂを把持して安全かつ楽に組外し作業を行ない得る利点もある。
【００２６】
【変更例】
上の開閉連結手段Ｈ1に係る変更,応用例として、
(１)受け具２７側については、
(ａ)水平片部２８の左端前縁に半円庇状の受け片部５３を水平前向きに延出形成し、この受け片部５３上に、側面(後面)開口した軸孔３１を有する軸受片５４をビスまたはカシメ付けにより強固に固定した例(図１３参照)、
(ｂ)一つの成形体において、側面(後面)開口した軸孔３１および軸受出し口４８を形成した軸受部分５７と、ロック部材４０を回動可能に支持保護する支持部分５８とを一体に成形した軸受支体５９を、受け具２７の水平片部２８および受け片部５３上に固定した例(図１４参照)、
等が好適に提案されて実施し得る。なお図示しないが、所要径の線状材をＵ字形に曲折成形して開口側面を有する軸孔３１を形成すると共に、該Ｕ字形線状材の両端部位を更に直角に曲折成形して受け片部５３上に溶接またはカシメ付けにより強固に固定する形態を採用し得る。また、前記(ａ)の軸受片５４および(ｂ)の軸受支体５９は、好適には硬質合成樹脂で成形される。
【００２７】
(２)ロック部材４０側については、
(ａ)所要とするハンドルレバー形状のレバー体４１に案内面４４,開閉縁４５および摘み４６等を形成することの他に、支点(支ピン３２)に対する所定半径位置に形成されたＵの字状のスリット６０で分離されて上下方向に弾性変形し得る係止爪片６１を形成し、この係止爪片６１の下面側に案内溝６２と係止穴(係止手段)６３を凹設する。そして、受け具２７の水平片部２８上に突出された係止突部(リベットの球頭部を例示する)(係止手段)６４を、案内溝６２に相対移動可能に当接させてレバー体４１の旋回動案内をなす一方、同係止突部６４を係止穴６３に係脱可能に係合してレバー体４１をロック解除位置に係止保持し得るようにした例(図１５参照)、
(ｂ)受け具２７の水平片部２８上に図１４に例示したような軸受支体５９が固定された前提例において、同軸受支体５９にスリット６５を利用して弾性変形し得る係止爪片６６および係止突部(係止手段)６７を形成する一方、レバー体４１の上面に案内溝６８および係止穴(係止手段)６９を形成して、係止突部６７を案内溝６８に当接かつ係止穴６９に係合し得るようにした例(図１６参照)、
等が好適に提案されて実施し得る。なお前述した何れの変更例においても、当該の案内溝６２,６８の一端に別の係止穴７０を形成して、この係止穴７０に係止突部６４,６７が係合した状態で、レバー体４１を軸孔３１の閉鎖(支軸２５のロック拘束)位置に保持できるようにしてもよい(図１５および図１６参照)。
【００２８】
【発明の効果】
以上に説明した如く、本発明に係る縦型遊技機によれば、外枠と前枠を組付け保持する上下の開閉連結手段のうちの上の開閉連結手段において、前枠に配設した受け具およびロック部材により形成された軸受出し口が、該前枠の厚み方向に常に広く開口されているから、外枠に配設した支軸を広角範囲から受入れて軸孔に嵌合連結し得る。従って機体の組付けにあたっては、外枠に対して前枠を左右の広範囲に亘る任意の方向,姿勢において、両手で前枠全体を支えながら外枠側の支軸と前枠側の軸孔とを互いに横嵌め連結してロック保持させることができ、作業者の「右利き,左利き,体格(身長)」等の個体差に拘らず手早く安全にかつ楽に組付け作業を行なうことができる極めて有益な効果を奏する。また前記ロック部材は、係止手段を利用してロック解除位置に係止保持することが可能であるから、機体の組外しにあたっては、外枠に対して前枠を左右の広範囲に亘る任意の方向,姿勢に保持した状態おいて、両手で前枠側全体を支えながら外枠側の支軸と前枠側の軸孔とを互いに分離させることができ、作業者の「右利き,左利き,体格(身長)」等の個体差に拘らず手早く安全にかつ楽に組外し作業を行なうことができる利点もある。
【図面の簡単な説明】
【図１】本実施例のパチンコ機を概略で示す正面図である。
【図２】本実施例のパチンコ機における外枠および前枠を概略で示す正面図である。
【図３】外枠と前枠の連結状態で示す上下の開閉連結手段の要部断面図である。
【図４】上の開閉連結手段を示す平面図である。
【図５】上の開閉連結手段を非連結状態で示す側面図である。
【図６】上の開閉連結手段を連結状態で示す側面図である。
【図７】上の開閉連結手段の構成部材を分解状態で示す斜視図である。
【図８】上の開閉連結手段を非連結状態で示す斜視図である。
【図９】上の開閉連結手段におけるロック部材が、ロック拘束位置からロック解除位置に変位する状態を経時的に示す説明図である。
【図１０】外枠と前枠との組付け時における上の開閉連結手段の連結態様を経時的に示す説明図である。
【図１１】外枠と前枠との組外し時における上の開閉連結手段の分離態様を経時的に示す説明図である。
【図１２】外枠に対する前枠の組付けまたは組外しが可能な方向を平面状態で示す説明図である。
【図１３】上の開閉連結手段における受け具の変更例を分解状態で例示する概略斜視図である。
【図１４】上の開閉連結手段における受け具の別変更例を分解状態で例示する概略斜視図である。
【図１５】上の開閉連結手段におけるロック部材の変更例を示す平面図および要部断面図である。
【図１６】上の開閉連結手段におけるロック部材の別変更例を示す平面図および要部断面図である。
【図１７】外枠と前枠との組付けに係る従来の上下の開閉連結手段の一例を示す説明図である。
【符号の説明】
１０  軸支部
１２  支軸
１３  軸受部
１４  軸孔
２０  支持具
２５  支軸
２７  受け具
３０  軸受部
３１  軸孔
３３  案内ピン(係止手段)
４０  ロック部材
４４  案内面
４７  ねじりばね(付勢手段)
４８  軸受出し口
５０  係止爪片(係止手段)
６３  係止穴(係止手段)
６４  係止突部(係止手段)
６７  係止突部(係止手段)
６９  係止穴(係止手段)
Ａ  外枠
Ｂ  前枠
Ｈ1 上の開閉連結手段
Ｈ2 下の開閉連結手段
【図１】
0003743971.tif 000002
【図２】
0003743971.tif 000003
【図３】
0003743971.tif 000004
【図４】
0003743971.tif 000005
【図５】
0003743971.tif 000006
【図６】
0003743971.tif 000007
【図７】
0003743971.tif 000008
【図８】
0003743971.tif 000009
【図１２】
0003743971.tif 000010
【図９】
0003743971.tif 000011
【図１０】
0003743971.tif 000012
【図１１】
0003743971.tif 000013
【図１３】
0003743971.tif 000014
【図１４】
0003743971.tif 000015
【図１５】
0003743971.tif 000016
【図１６】
0003743971.tif 000017
【図１７】
0003743971.tif 000018